(57)【要約】【課題】意匠性を低下することなく、照明器具によって照らす照明空間を、全体として明るい感じがするように照明光を照射することのできる照明器具を提供する。【解決手段】第２の反射板３０が器具本体２０の開口部２０ａよりも小さいので、光源２１からの照射光の一部は、第２の反射板３０に遮られることなく、前方に照射される。また、第２の反射板３０を第１の反射板２２の反射面を形成する曲面Ｅ２の焦点Ｆ２近傍に設けたので、第１の反射板２２により反射した反射光の大部分と、光源２１からの照射光は、第２の反射板３０によって被取付部１１の方向へ反射される。これにより、被取付部１１を明るく照らすことができ、照明空間全体を明るい感じにすることができる。また、器具本体２０を被取付部１１に埋め込むことにより、外部に露出する照明器具１０を小さくすることができるので、意匠性を向上させるとともに、照明空間を広くすることができる。【選択図】図１
2009289438.tif 000002
【特許請求の範囲】
【請求項１】
光源を内蔵し被取付部に取り付けられる器具本体と、前記光源からの照射光を前記器具本体の開口部から外部に導く第１の反射板と、前記光源からの照射光および前記第１の反射板からの反射光を前記被取付部に向かって反射する第２の反射板とを有する照明器具であって、
前記第２の反射板が、前記器具本体の前記開口部よりも外形が小さく、かつ前記第１の反射板を形成する曲面の焦点付近に設けたことを特徴とする照明器具。
【請求項２】
前記第２の反射板の反射面が、連続する凹凸部を有することを特徴とする請求項１記載の照明器具。
【請求項３】
前記第２の反射板の反射面を形成する前記凹凸部が、全体として凹形状であることを特徴とする請求項２記載の照明器具。
【請求項４】
前記第２の反射板が、半透過性部材で形成されていることを特徴とする請求項1ないし請求項３のいずれかに記載の照明器具。
【請求項５】
前記第１の反射板が複数の曲面から形成されるとともに、前記第２の反射板が前記第１の反射板を形成する曲面のうち、前記光源に近い前記曲面の焦点近傍に設けたことを特徴とする請求項４に記載の照明器具。
【発明の詳細な説明】
【技術分野】
【０００１】
本発明は、天井等の被取付部に取付けて、前方および被取付部を照らすことができる照明器具に関するものである。
【背景技術】
【０００２】
近年、照明器具を天井等の被取付部に取付けて、前方および天井を照らすことにより、「Ｆｅｕ値」を向上させて、照明空間を明るい感じにすることが行われている。ここで、「Ｆｅｕ値」とは、照明空間を観察したときに、当該空間に対して感じられる明るさの総合評価である明るさ感覚指標の単位であり、この明るさ感覚指標は、照明認識視空間の概念における色モード境界輝度に基づいて算出され、この値が大きいほど照明空間の明るさ感が高くなり、明るく感じられる。
【０００３】
天井を照らすことにより「Ｆｅｕ値」を向上させる方法としては、図６に示すように、天井１０１から照明器具１００を吊下げ、ランプ１０２の下側に反射板１０３を設けることにより、ランプ１０２の光を天井１０１に当てる方法が一般的である。
【０００４】
しかしながら、図６に示した方法では、照明器具１００を天井１０１から吊下げる構造としているため、施工性が悪い。また、天井１０１よりも低い位置に設置されるので、ある程度の照度を確保するために多数の照明器具１００を設けた場合には、多数の照明器具１００が目に入り、照明空間が狭く感じられるとともに、意匠性が劣るという問題がある。
【０００５】
一方、吊下げ構造ではなく、一体型の構造で「Ｆｅｕ値」を向上させるものもある（例えば特許文献１参照）。
図７に示すように、この照明器具１１０では、箱型の器具本体１１１内部に、ランプ１１２、ランプ１１２の側方および上方に第１の反射板１１３、ランプ１１２の下方に第２の反射板１１４を設けたものがある。この照明器具１１０では、ランプ１１２から上方および側方へ発せられる照射光を下方の第２反射版１１４に導き、第２反射板１１４によって反射された照射光を、器具本体１１１に設けられた照射窓１１５から外部に照射する。
【特許文献１】特開平３−２２３０４号公報（第１図）
【発明の開示】
【発明が解決しようとする課題】
【０００６】
しかしながら、図７に示した照明器具１１０においては、施工性は良いものの、器具本体１１１内部にランプ１１２や安定器等の部品を含むため、大型化して意匠性が低下するという問題がある。
【０００７】
本発明は、従来の問題を解決するためになされたもので、意匠性を低下することなく、照明器具によって照らす照明空間を、全体として明るい感じがするように照明光を照射することのできる照明器具を提供することを目的とする。
【課題を解決するための手段】
【０００８】
本発明の照明器具は、光源を内蔵し被取付部に取り付けられる器具本体と、前記光源からの照射光を前記器具本体の開口部から外部に導く第１の反射板と、前記光源からの照射光および前記第１の反射板からの反射光を前記被取付部に向かって反射する第２の反射板とを有する照明器具であって、前記第２の反射板が、前記器具本体の前記開口部よりも外形が小さく、かつ前記第１の反射板を形成する曲面の焦点付近に設けた構成を有している。
【０００９】
この構成により、第２の反射板が器具本体の開口部よりも小さいので、光源からの照射光の一部は、第２の反射板に遮られることなく、前方に照射される。また、第２の反射板を第１の反射板の反射面を形成する曲面の焦点近傍に設けたので、第１の反射板により反射した反射光の大部分と、光源からの照射光は、第２の反射板によって被取付部の方向へ反射される。これにより、被取付部を明るく照らすことができ、照明空間全体を明るい感じにすることができる。また、器具本体を被取付部に埋め込むことにより、外部に露出する照明器具を小さくすることができるので、意匠性を向上させるとともに、照明空間を広くすることができる。
【００１０】
また、本発明の照明器具は、前記第２の反射板の反射面が、連続する凹凸部を有する構成を有している。
【００１１】
この構成により、第２の反射板を連続する凹凸部で形成することにより、第２の反射板を薄くして、反射板面積を大きくすることができる。
【００１２】
また、本発明の照明器具は、前記第２の反射板の反射面を形成する前記凹凸部が、全体として凹形状である構成を有している。
【００１３】
この構成により、第２の反射板の反射面が全体として凹形状とすることにより、反射面の両端部で反射される反射光は内側へ反射されることになる。このため、反射面で反射された光が直接目に入って、眩しく感じるのを防止することができる。
【００１４】
また、本発明の照明器具は、前記第２の反射板が、半透過性部材で形成されている構成を有している。
【００１５】
この構成により、第２の反射材は半透過性部材なので、光源からの照射光および第１の反射板からの反射光の一部は透過して、器具本体の前方を照らすことになる。
【００１６】
さらに、本発明の照明器具は、前記第１の反射板が複数の曲面から形成されるとともに、前記第２の反射板が前記第１の反射板を形成する曲面のうち、前記光源に近い前記曲面の焦点近傍に設けた構成を有している。
【００１７】
この構成により、第２の反射板は、第１の反射板を形成する複数の曲面で反射された光が受けやすくなる。仮に、第２の反射板が、第１の反射板を形成する曲面のうち、光源に遠い曲面の焦点近傍に設けられた場合、光源に近い曲面で反射した光が第２の反射板に入射されにくくなる。
【発明の効果】
【００１８】
本発明は、第２の反射板が器具本体の開口部よりも小さいので、光源からの照射光の一部は、第２の反射板に遮られることなく、前方に照射される。また、第２の反射板を第１の反射板の反射面を形成する曲面の焦点近傍に設けたので、第１の反射板により反射した反射光の大部分と、光源からの照射光は、第２の反射板によって被取付部の方向へ反射される。これにより、被取付部を明るく照らすことができ、照明空間全体を明るい感じにすることができる。また、器具本体を被取付部に埋め込むことにより、外部に露出する照明器具を小さくすることができるので、意匠性を向上させるとともに、照明空間を広くすることができるという効果を有する照明器具を提供することができるものである。
【発明を実施するための最良の形態】
【００１９】
以下、本発明の実施の形態の照明器具について、図面を用いて説明する。
図１は本発明の実施形態にかかる照明器具の断面図、図２は第１の反射板の形状の説明図、図３（Ａ）はランプの照射光および反射板による反射光の経路を示す説明図、図３（Ｂ）は配光形状を示す説明図、図４は第２の反射板が凸形状の場合の反射光の向きを示す説明図、図５（Ａ）および（Ｂ）は第２の反射板の別の形状を示す説明図である。
【００２０】
図１に示すように、本発明の実施形態にかかる照明器具１０は、光源であるランプ２１を内蔵し、被取付部である天井１１に設けられている取付孔１１ａに埋め込まれて取り付けられる器具本体２０と、ランプ２１からの照射光を器具本体２０の開口部２０ａから外部に導く第１の反射板２２と、ランプ２１からの照射光および第１の反射板２２からの反射光を天井１１に向かって反射する第２の反射板３０とを有している。
【００２１】
器具本体２０は、下向きに開口部２０ａを有する矩形箱状をしており、内部にランプ２１を有している。また、ランプ２１の後方（上方）および側方を囲うようにして第１の反射板２２が設けられている。第１の反射板２２は全体略楕円状に形成されており、ランプ２１をその焦点近傍に配置することにより、ランプ２１からの照射光を第２の反射板３０の近傍に集めるようにしている。
【００２２】
第１の反射板２２は、図２に示すように、大きさが異なる２つの楕円Ｅ１，Ｅ２に沿った形状となっている。すなわち、ランプ２１の後方および近傍に位置する反射板２２ａは、大きな楕円Ｅ１に沿った形状となっており、楕円Ｅ１の一方の焦点（図示省略）の近傍にランプ２１が配置されている。一方、ランプ２１から遠い位置の反射板２２ｂは、小さな楕円Ｅ２に沿った形状となっている。
【００２３】
また、図２に示すように、第１の反射板２２には２つの焦点Ｆ１、Ｆ２があるが、小さな楕円Ｅ２の焦点Ｆ２は、大きな楕円Ｅ１の焦点Ｆ１よりも上方に位置している。図１にも示すように、第２の反射板３０は、左右の支持部材３１，３１によって支持されている取付部ロック３２の上面に取り付けられており、ランプ２１に近い方（すなわち上方）の焦点Ｆ２の近傍に位置するように、吊下げられている。支持部材３１は、例えば鋼材を用いて形成することができる。また、取付ブロック３２は、例えば樹脂製のブロックを用いることができる。
【００２４】
これにより、第２の反射板は、第１の反射板を形成する複数の曲面で反射された光が受けやすくなる。仮に、第２の反射板が、第１の反射板を形成する曲面のうち、光源に遠い曲面の焦点近傍に設けられた場合、光源に近い曲面で反射した光が第２の反射板に入射されにくくなる。
【００２５】
図１〜図３に示すように、第２の反射板３０は、器具本体２０の開口部２０ａよりも外形が小さいので、ランプ２１からの照射光の一部は、第２の反射板３０に遮られることなく、前方に照射される。また、図３（Ａ）に示すように、第２の反射板３０の反射面３０ａは、例えば樹脂の表面に金属等を蒸着して、半透過材とされている。このため、取付ブロック３２に透明または半透明の樹脂等を用いることにより、光は第２の反射版２０を透過して下方を照らすので、第２の反射板３０の下方が陰にならず、ランプ２１が点灯した状態での意匠が軽い印象を与える。
【００２６】
また、第２の反射板３０の反射面３０ａは連続する凹凸部を有しており、全体として凹形状とされている。凹凸部の具体例としては、Ｖ形状や、Ｗ形状あるいは、Ｖ字を複数個連続したものとすることができる。すなわち、凹形状では、反射面３０ａの端部が、内側（ランプ２１側）を向く。このため、図４に示すように、第２の反射板３０Ｂを全体として凸形状とした場合に、最外部の反射面３０ｂによって反射された光が直接目に入って，眩しさ（グレア）を感じるような事態を防止することができる。また、Ｖ字を複数個連続させることにより、第２の反射板３０を薄くすることができ、意匠性が向上する。
【００２７】
図３に示すように、第２の反射板３０の反射面３０ａをＶ字形状とした場合、ランプ２１から直下への照射光を反射させることで天井１１を明るく照らすことができ、「Ｆｅｕ値」を向上させることができる。このときの配光形状は、図３（Ｂ）に示すようにバットウイング形状となり、真下方向への光が減少するので、床面の輝度ムラが減少して、水平面照度の均整度がよくなる。なお、第２の反射板３０をＷ型としても、同様の作用・効果を得ることができる。
【００２８】
なお、前述したように、全体凹形状とした場合であっても、図５（Ａ）に示すように、第２の反射板３０Ｃの反射面３０ｃの凹部の最下部を丸い形状とすると、反射光がランプ２１に戻り、照明器具１０の外に出ないため、適当な形状ではないといえる。また、図５（Ｂ）に示すように、第２の反射板３０Ｄの反射面３０ｄのＶ字の最下部を上側に折り返した形状とした場合には、反射光は、ランプ２１方向ではなく、照明器具１０の外側へ反射する。従って、折り返し部分の角度を適切にすることにより、反射光を天井１１に向けることができる。
【００２９】
以上、説明した本発明にかかる照明器具１０によれば、第２の反射板３０が器具本体２０の開口部２０ａよりも小さいので、ランプ２１からの照射光の一部は、第２の反射板３０に遮られることなく、前方に照射される。また、第２の反射板３０を第１の反射板２２の反射面を形成する曲面の焦点近傍に設けたので、第１の反射板２２により反射した反射光の大部分と、ランプ２１からの照射光は、第２の反射板３０によって天井１１の方向へ反射される。これにより、天井１１を明るく照らすことができ、照明空間全体を明るい感じにすることができる。また、器具本体２０を天井１１に埋め込むことにより、外部に露出する照明器具１０を小さくすることができるので、意匠性を向上させるとともに、照明空間を広くすることができる。
【００３０】
なお、本発明の照明器具は、前述した実施形態に限定されるものでなく、適宜な変形，改良等が可能である。
【図面の簡単な説明】
【００３１】
【図１】本発明の実施形態にかかる照明器具の断面図
【図２】第１の反射板の形状の説明図
【図３】（Ａ）はランプの照射光および反射板による反射光の経路を示す説明図、（Ｂ）は配光形状を示す説明図
【図４】第２の反射板が凸形状の場合の反射光の向きを示す説明図
【図５】（Ａ）および（Ｂ）は第２の反射板の別の形状を示す説明図
【図６】従来の吊下げ構造の照明器具を示す正面図
【図７】従来の照明器具の別の例を示す構成図
【符号の説明】
【００３２】
１０  照明器具
１１  天井（被取付部）
２０  器具本体
２０ａ  開口部
２１  ランプ（光源）
２２  第１の反射板
３０  第２の反射板
３０ａ  反射面
Ｅ１，Ｅ２  曲面
Ｆ１，Ｆ２  焦点
【図１】
2009289438.tif 000003
【図２】
2009289438.tif 000004
【図３】
2009289438.tif 000005
【図４】
2009289438.tif 000006
【図５】
2009289438.tif 000007
【図６】
2009289438.tif 000008
【図７】
2009289438.tif 000009